(57)【特許請求の範囲】
【請求項１】
モータから駆動輪への動力伝達経路に、機構的な特性で一方向にしかスリップできない摩擦クラッチを有し、モータ走行中、前記摩擦クラッチのスリップ制御を実施する電動車両の制御装置において、
前記電動車両の目標駆動トルクを用い、前記摩擦クラッチがスリップできないコースト走行状態であるか否かを決定するモータ・クラッチ制御状態決定手段と、
前記モータ・クラッチ制御状態決定手段により前記摩擦クラッチがスリップできないコースト走行状態であると決定したとき、前記摩擦クラッチがスリップできるドライブ走行状態への移行に備え、クラッチトルク容量を入力トルクよりも低いトルク容量になるように、クラッチトルク容量指令相当値を決めるクラッチトルク容量決定手段と、
を備えることを特徴とする電動車両の制御装置。
【請求項２】
請求項１に記載された電動車両の制御装置において、
前記クラッチトルク容量決定手段は、クラッチトルク容量指令相当値を、入力トルクの絶対値から、機構的に分担できるハード分担トルク絶対値を差し引いた値相当とする
ことを特徴とする電動車両の制御装置。
【請求項３】
請求項１又は２に記載された電動車両の制御装置において、
前記クラッチトルク容量決定手段は、クラッチトルク容量指令相当値に対し、所定の応答を実現する下限値を設定する
ことを特徴とする電動車両の制御装置。
【請求項４】
請求項１又は２に記載された電動車両の制御装置において、
前記摩擦クラッチは、前記モータと前記駆動輪の間に介装された変速機の変速摩擦締結要素を兼用するものであり、
前記クラッチトルク容量決定手段は、クラッチトルク容量指令相当値を、前記変速機のギア位置に応じて決める
ことを特徴とする電動車両の制御装置。
【請求項５】
請求項１から４までの何れか一項に記載された電動車両の制御装置において、
前記モータ・クラッチ制御状態決定手段により前記摩擦クラッチがスリップできない状態であると決定したとき、前記摩擦クラッチがモータ回転数の低下によりスリップが発生した場合で、それ以降スリップが収束していない場合、クラッチトルク容量は変えずに、モータ回転数制御でのモータトルクで前記摩擦クラッチのスリップを収束させる
ことを特徴とする電動車両の制御装置。
【請求項６】
請求項５に記載された電動車両の制御装置において、
前記クラッチトルク容量決定手段は、前記摩擦クラッチのスリップ回転数が所定値以下に収束した後、クラッチトルク容量を入力トルクよりも高いトルク容量になるようにクラッチトルク容量指令相当値を決める
ことを特徴とする電動車両の制御装置。
【発明の詳細な説明】
【技術分野】
【０００１】
本発明は、モータから駆動輪への動力伝達経路に、一方向にしかスリップできない摩擦クラッチを有する電動車両の制御装置に関する。
【背景技術】
【０００２】
アシスト動力源のトルクを出力軸に付加する変速機でのパワーオフ変速を、遅れやショック悪化を生じることなく実行する。この目的を達成するため、モータから駆動輪への動力伝達経路に係合装置を備えるハイブリッド車両において、モータ回転数が変速後同期回転数に達した後、係合装置の伝達トルク容量を増大させる技術が開示されている（特許文献１参照）。【０００３】
エンジン始動を駆動力の途切れなしに行い得るようにすると共に、そのためのクラッチスリップを外乱発生時も狙い通りに維持し得るようにする。この目的を達成するため、モータから駆動輪への動力伝達経路に第２クラッチを備えるハイブリッド車両において、第２クラッチの出力側の回転数目標値と回転数検出値の偏差を低下させるように第２クラッチのクラッチ容量を制御する技術が開示されている（特許文献２参照）。
【先行技術文献】
【特許文献】
【０００４】
【特許文献１】特開２００４−２０３２１９号公報
【特許文献２】特開２００７−３３１５３４号公報
【発明の概要】
【発明が解決しようとする課題】
【０００５】
しかしながら、モータから駆動輪への動力伝達経路に摩擦クラッチを有する駆動系を持つ電動車両にあっては、駆動系の機構により、一方向のトルク極性にしかスリップできない摩擦クラッチがある。例えば、変速機構のワンウェイクラッチと並列に摩擦クラッチが設けられている場合、一方向のトルク極性（例えば、トルク伝達方向が駆動源からの正極性）はスリップさせることができるが、逆方向のトルク極性（例えば、トルク伝達方向が駆動輪からの負極性）のときスリップできない。このような摩擦クラッチにおいては、トルク極性がスリップ可能な場合（例えば、正）、摩擦クラッチをスリップさせ、トルク極性がスリップ不可能な場合（例えば、負）、高いトルク容量に設定して締結してＥＶ走行していた。このため、例えば、負→正へとトルク極性が切り替わるときにスリップ要求が介入した場合、摩擦クラッチを非スリップ状態からスリップ状態へと切り替えるのに時間を要する、という問題があった。【０００６】
本発明は、上記問題に着目してなされたもので、摩擦クラッチがスリップできない状態からできる状態へと移行した際、摩擦クラッチの非スリップ→スリップの切り替えに要する時間を短縮することができる電動車両の制御装置を提供することを目的とする。
【課題を解決するための手段】
【０００７】
上記目的を達成するため、本発明の電動車両の制御装置は、モータから駆動輪への動力伝達経路に、機構的な特性で一方向にしかスリップできない摩擦クラッチを有し、モータ走行中、前記クラッチのスリップ制御を実施する。
この電動車両の制御装置において、モータ・クラッチ制御状態決定手段と、クラッチトルク容量決定手段と、を備える。
前記目標駆動トルク演算手段は、前記電動車両の目標駆動トルクを演算する。
前記モータ・クラッチ制御状態決定手段は、前記電動車両の目標駆動トルクを用い、前記摩擦クラッチがスリップできないコースト走行状態であるか否かを決定する。
前記クラッチトルク容量決定手段は、前記モータ・クラッチ制御状態決定手段により前記摩擦クラッチがスリップできないコースト走行状態であると決定したとき、前記摩擦クラッチがスリップできるドライブ走行状態への移行に備え、クラッチトルク容量を入力トルクよりも低いトルク容量になるように、クラッチトルク容量指令相当値を決める。
ここで、「クラッチトルク容量指令相当値」とは、クラッチトルク容量指令、或いは、クラッチトルク容量を実現するパラメータ（油圧やソレノイド電流など）の指令をいう。
【発明の効果】
【０００８】
よって、摩擦クラッチがスリップできないコースト走行状態であると決定したとき、摩擦クラッチがスリップできるドライブ走行状態への移行に備え、クラッチトルク容量を入力トルクよりも低いトルク容量になるように、クラッチトルク容量指令相当値が決められる。
例えば、コースト走行中に、クラッチトルク容量を高く設定しておくと、アクセル踏み込み操作されたことでトルク極性の切り替わりとスリップ要求があった場合、摩擦クラッチの非スリップ→スリップへの切り替えに要する時間が長くなる。なぜなら、クラッチスリップへ切り替えるには、高いクラッチトルク容量をモータトルク（ＥＶ走行中の駆動トルク）より低いトルクレベルまで一気に低下させ、かつ、入力トルクとのトルク差を確保する必要があり、指令に対する応答遅れにより時間を要することによる。
これに対し、コースト走行中に、クラッチトルク容量を入力トルクより低く設定しておくと、アクセル踏み込み操作されたことでトルク極性の切り替わりとスリップ要求があった場合、入力トルクとのトルク差が予め確保されている状態にあり、クラッチトルク容量を低下させるにしても低下幅が小さく抑えられる。このため、摩擦クラッチがスリップできないコースト走行からスリップできるドライブ走行へと移行した際、摩擦クラッチが非スリップ→スリップへ切り替えるのに要する時間が短くなる。
この結果、摩擦クラッチがスリップできない状態からできる状態へと移行した際、摩擦クラッチの非スリップ→スリップの切り替えに要する時間を短縮することができる。
【図面の簡単な説明】
【０００９】
【図１】実施例１における制御装置が適用された後輪駆動によるＦＲハイブリッド車両（電動車両の一例）を示す全体システム図である。
【図２】実施例１の統合コントローラのモード選択部に設定されているＥＶ−ＨＥＶ選択マップの一例を示す図である。
【図３】実施例１における制御装置での学習制御の対象となる第２クラッチを内蔵した自動変速機の一例を示すスケルトン図である。
【図４】実施例１における自動変速機での変速段ごとの各摩擦締結要素の締結状態を示す締結作動表である。
【図５】実施例１におけるＡＴコントローラに設定されている自動変速機のシフトマップの一例を示す図である。
【図６】実施例１の制御系に有するEV走行制御部の構成を示す制御ブロック図である。
【図７】EV走行制御部でのEV走行制御処理の流れを示すフローチャートである。
【図８】EV走行制御処理のうちステップS05で実行されるモータ・クラッチ２制御状態選択演算処理の流れを示すフローチャートである。
【図９】モータ・クラッチ２制御状態選択演算処理のうちステップS054に進んだときのモータ制御状態の選択処理の流れを示すフローチャートである。
【図１０】EV走行制御処理のうちステップS07で実行される目標クラッチ２トルク容量演算処理を示すブロック図である。
【図１１】比較例においてEVコースト走行からエンジン始動制御を介してHEVモードへモード遷移するときの課題を説明するためのアクセル開度・トルク・回転数の各特性を示すタイムチャートである。
【図１２】実施例１においてEVコースト走行からエンジン始動制御を介してHEVモードへモード遷移するときのアクセル開度・トルク・回転数の各特性を示すタイムチャートである。
【図１３】実施例１においてEVコースト走行中にスリップしたときのアクセル開度・トルク・回転数の各特性を示すタイムチャートである。
【発明を実施するための形態】
【００１０】
以下、本発明の電動車両の制御装置を実現する最良の形態を、図面に示す実施例１に基づいて説明する。
【実施例１】
【００１１】
まず、構成を説明する。
実施例１における電動車両の制御装置の構成を、「全体システム構成」、「自動変速機の概略構成」、「EV走行制御の詳細構成」に分けて説明する。【００１２】
［全体システム構成］
図１は、実施例１における制御装置が適用された後輪駆動によるＦＲハイブリッド車両（電動車両の一例）を示し、図２は、統合コントローラ１０のモード選択部に設定されているEV-HEV選択マップの一例を示す。以下、図１及び図２に基づいて、全体システム構成を説明する。【００１３】
ＦＲハイブリッド車両の駆動系は、図１に示すように、エンジンEngと、第１クラッチCL1と、モータ/ジェネレータMG（モータ）と、第２クラッチCL2（摩擦クラッチ）と、自動変速機ATと、変速機入力軸INと、プロペラシャフトPSと、ディファレンシャルDFと、左ドライブシャフトDSLと、右ドライブシャフトDSRと、左後輪RL（駆動輪）と、右後輪RR（駆動輪）と、を有する。なお、M-O/Pはメカオイルポンプ、S-O/Pは電動オイルポンプ、FLは左前輪、FRは右前輪、FWはフライホイールである。【００１４】
前記第１クラッチCL1は、エンジンEngと/ジェネレータMGとの間に設けられた締結要素であり、CL1油圧を加えないときにダイアフラムスプリング等による付勢力にて締結状態であり、この付勢力に対抗するCL1油圧を加えることで解放するタイプ、いわゆるノーマルクローズのクラッチである。【００１５】
前記自動変速機ATは、前進７速/後退１速の変速段を車速やアクセル開度等に応じて自動的に切り替える有段変速機である。モータ/ジェネレータMGから左右後輪RL,RRまでの動力伝達経路に介装される第２クラッチCL2としては、自動変速機ATから独立した専用のクラッチとして新たに追加したものではなく、自動変速機ATを変速させるための摩擦締結要素（クラッチやブレーキ）を用いている。すなわち、自動変速機ATの各変速段にて締結される複数の摩擦締結要素のうち、締結条件等に適合する要素として選択した摩擦締結要素を「第２クラッチCL2」としている。なお、第１クラッチ油圧ユニット６と第２クラッチ油圧ユニット８は、自動変速機ATに付設されるAT油圧コントロールバルブユニットCVUに内蔵している。【００１６】
このＦＲハイブリッド車両は、駆動形態の違いによるモードとして、電気自動車モード（以下、「EVモード」という。）と、ハイブリッド車モード（以下、「HEVモード」という。）と、駆動トルクコントロールモード（以下、「WSCモード」という。）と、を有する。【００１７】
前記「EVモード」は、第１クラッチCL1を解放状態とし、駆動源をモータ/ジェネレータMGのみとするモードであり、モータ駆動モード（モータ力行）・ジェネレータ発電モード（ジェネレータ回生）を有する。この「EVモード」は、例えば、要求駆動力が低く、バッテリSOCが確保されているときに選択される。【００１８】
前記「HEVモード」は、第１クラッチCL1を締結状態とし、駆動源をエンジンEngとモータ/ジェネレータMGとするモードであり、モータアシストモード（モータ力行）・エンジン発電モード（ジェネレータ回生）・減速回生発電モード（ジェネレータ回生）を有する。この「HEVモード」は、例えば、要求駆動力が高いとき、あるいは、バッテリSOCが不足するようなときに選択される。【００１９】
前記「WSCモード」は、駆動形態は「HEVモード」であるが、モータ/ジェネレータMGを回転数制御することにより、第２クラッチCL2をスリップ締結状態に維持しつつ、第２クラッチCL2のトルク容量をコントロールするモードである。第２クラッチCL2のトルク容量は、第２クラッチCL2を経過して伝達される駆動力が、ドライバーのアクセル操作量にあらわれる要求駆動力となるようにコントロールされる。この「WSCモード」は、「HEVモード」選択状態での発進時等のように、エンジン回転数がアイドル回転数を下回る領域において選択される。【００２０】
ＦＲハイブリッド車両の制御系は、図１に示すように、エンジンコントローラ１と、モータコントローラ２と、インバータ３と、バッテリ４と、第１クラッチコントローラ５と、第１クラッチ油圧ユニット６と、ＡＴコントローラ７と、第２クラッチ油圧ユニット８と、ブレーキコントローラ９と、統合コントローラ１０と、を有して構成されている。【００２１】
前記各コントローラ１，２，５，７，９と、統合コントローラ１０とは、情報交換が互いに可能なＣＡＮ通信線１１を介して接続されている。なお、１２はエンジン回転数センサ、１３はレゾルバ、１５は油圧アクチュエータ１４のピストン１４ａのストローク位置を検出する第１クラッチストロークセンサ、１９は車輪速センサ、２０はブレーキストロークセンサである。【００２２】
前記ＡＴコントローラ７は、アクセル開度センサ１６、車速センサ１７、選択されているレンジ位置（Ｎレンジ，Ｄレンジ，Ｒレンジ，Ｐレンジ等）を検出するインヒビタスイッチ１８、等からの情報を入力する。そして、Ｄレンジを選択しての走行時、アクセル開度APOと車速VSPにより決まる運転点が、シフトマップ（図５参照）上で存在する位置により最適な変速段を検索し、検索された変速段を得る制御指令をAT油圧コントロールバルブユニットCVUに出力する。この変速制御に加えて、統合コントローラ１０からの指令に基づき、第１クラッチCL1の完全締結（HEVモード）/スリップ締結（エンジン始動）/解放（EVモード）の制御を行う。また、第２クラッチCL2の完全締結（HEVモード）/微小スリップ締結（EVモード）／回転差吸収スリップ締結（WSCモード）／変動トルク遮断スリップ締結（エンジン始動モード・エンジン停止モード）の制御を行う。【００２３】
ここで、自動変速機ATが非変速状態でのEVモードによる走行中、第２クラッチCL2の微小スリップ回転を維持する制御を「微小スリップ制御」という。この「微小スリップ制御」は、モータ/ジェネレータMGの実モータ回転数を、第２クラッチCL2が微小スリップ回転となる目標モータ回転数に一致させるように制御するモータ回転数制御により実施される。このモータ回転数制御中のモータトルクは、第２クラッチCL2によりモータ/ジェネレータMGが受ける負荷に応じたものとなるため、モータ回転数制御中のモータトルク検出値によりCL2実トルクを推定できる。また、「微小スリップ制御」は、EV非変速状態、且つ、目標駆動トルクが規定値以上（フリクション等によるスリップ不可領域や低油圧により精度が確保できない領域を懸念して設定）の領域で実施する。目標駆動トルクが規定値以下は、第２クラッチCL2が滑らないような容量安全率を確保している。よって、EV変速直後やHEVモード⇒EVモードへのモード遷移直後、目標駆動トルクが低トルクからのアクセル踏み込み操作で、第２クラッチCL2をスリップインさせ、微小スリップ制御が働く。【００２４】
前記統合コントローラ１０は、車両全体の消費エネルギーを管理し、最高効率で車両を走らせるための機能を担うもので、モータ回転数Nmを検出するモータ回転数センサ２１や他のセンサ・スイッチ類２２からの必要情報及びＣＡＮ通信線１１を介して情報を入力する。この統合コントローラ１０には、アクセル開度APOと車速VSPにより決まる運転点が、図２に示すEV-HEV選択マップ上で存在する位置により検索したモードを目標モードとして選択するモード選択部を有する。そして、「EVモード」から「HEVモード」へのモード切り替え時においては、第２クラッチCL2のスリップインを確認し、エンジン始動制御を行う。また、「HEVモード」から「EVモード」へのモード切り替え時においても、第２クラッチCL2のスリップインを確認し、エンジン停止制御を行う。【００２５】
［自動変速機の概略構成］
図３は、実施例１における自動変速機ATの一例をスケルトン図により示し、図４は、自動変速機ATでの変速段ごとの各摩擦締結要素の締結状態を示し、図５は、ＡＴコントローラ７に設定されている自動変速機ATのシフトマップの一例を示す。以下、図３〜図５に基づいて、自動変速機ATの概略構成を説明する。【００２６】
前記自動変速機ATは、前進７速後退１速の有段式自動変速機であり、図３に示すように、エンジンEngとモータ/ジェネレータMGのうち、少なくとも一方からの駆動力が変速機入力軸Inputから入力され、４つの遊星ギアと７つの摩擦締結要素を有する変速ギア機構によって、回転速度が変速されて変速機出力軸Outputから出力される。【００２７】
前記変速ギア機構としては、同軸上に、第１遊星ギアG1及び第２遊星ギアG2による第１遊星ギアセットGS1と、第３遊星ギアG3及び第４遊星ギアG4による第２遊星ギアセットGS2と、が順に配置されている。また、油圧作動の摩擦締結要素として、第１クラッチC1(I/C)と、第２クラッチC2(D/C)と、第３クラッチC3(H&LR/C)と、第１ブレーキB1(Fr/B)と、第２ブレーキB2(Low/B)と、第３ブレーキB3(2346/B)と、第４ブレーキB4(R/B)と、が配置されている。また、機械作動の係合要素として、第１ワンウェイクラッチF1(1stOWC)と、第２ワンウェイクラッチF2(1&2OWC)と、が配置されている。【００２８】
前記第１遊星ギアG1、第２遊星ギアG2、第３遊星ギアG3、第４遊星ギアG4は、サンギア（S1〜S4）と、リングギア（R1〜R4）と、両ギア（S1〜S4）,（R1〜R4）に噛み合うピニオン（P1〜P4）を支持するキャリア（PC1〜PC4）と、を有するシングルピニオン型遊星ギアである。【００２９】
前記変速機入力軸Inputは、第２リングギアR2に連結され、エンジンEngとモータ/ジェネレータMGの少なくとも一方からの回転駆動力を入力する。前記変速機出力軸Outputは、第３キャリアPC3に連結され、出力回転駆動力を、ファイナルギア等を介して駆動輪（左右後輪RL,RR）に伝達する。【００３０】
第１リングギアR1と第２キャリアPC2と第４リングギアR4とは、第１連結メンバM1により一体的に連結される。第３リングギアR3と第４キャリアPC4とは、第２連結メンバM2により一体的に連結される。第１サンギアS1と第２サンギアS2とは、第３連結メンバM3により一体的に連結される。【００３１】
図４は締結作動表であり、図４において、○印はドライブ状態で当該摩擦締結要素が油圧締結であることを示し、（○）印はコースト状態で当該摩擦締結要素が油圧締結（ドライブ状態ではワンウェイクラッチ作動）であることを示し、無印は当該摩擦締結要素が解放状態であることを示す。また、ハッチングにて示される締結状態の摩擦締結要素は、各変速段にて「第２クラッチCL2」として用いる要素を示す。【００３２】
隣接する変速段への変速については、上記各摩擦締結要素のうち、締結していた１つの摩擦締結要素を解放し、解放していた１つの摩擦締結要素を締結するという架け替え変速により、図４に示すように、前進７速で後退１速の変速段を実現することができる。さらに、１速段及び２速段のときには、第２ブレーキB2(Low/B)が「第２クラッチCL2」とされる。３速段のときには、第２クラッチC2(D/C)が「第２クラッチCL2」とされる。４速段及び５速段のときには、第３クラッチC3(H&LR/C)が「第２クラッチCL2」とされる。６速段及び７速段のときには、第１クラッチC1(I/C)が「第２クラッチCL2」とされる。後退段のときには、第４ブレーキB4(R/B)が「第２クラッチCL2」とされる。【００３３】
ここで、４速段及び５速段のときに「第２クラッチCL2」とされる第３クラッチC3(H&LR/C)は、図３に示すように、第２ワンウェイクラッチF2(1&2OWC)と並列に設けられている。よって、トルク入力が駆動源からのドライブ状態では、第２ワンウェイクラッチF2(1&2OWC)が空転し、第３クラッチC3(H&LR/C)をスリップ状態とすることができる。しかし、トルク入力が駆動輪からのコースト状態では、第２ワンウェイクラッチF2(1&2OWC)が機械的に係合し、第３クラッチC3(H&LR/C)をスリップ状態とすることはできない。すなわち、実施例１の駆動系において、４速段及び５速段のときの第３クラッチC3(H&LR/C)が、機構的な特性で一方向にしかスリップできない摩擦クラッチに相当する。【００３４】
図５はシフトマップであり、車速VSPとアクセル開度APOで特定されるマップ上での運転点が、アップ変速線を横切ると、アップ変速指令が出力される。例えば、変速段が１速段のとき、車速VSPの上昇により運転点（VSP,APO）が１→２アップ変速線を横切ると、１→２アップ変速指令が出力される。なお、図５はアップ変速線のみを記載しているが、勿論、アップ変速線に対してヒステリシスを持たせてダウン変速線も設定されている。【００３５】
［EV走行制御部の構成］
図６は、実施例１の制御系に有するEV走行制御部100の構成を示す。以下、図６に基づき、EV走行制御部100の構成を説明する。【００３６】
前記EV走行制御部100は、図６に示すように、検出手段として、アクセル開度検出手段(a)、クラッチ出力軸回転数検出手段(b)と、クラッチ入力軸回転数検出手段(c)と、モータ回転数検出手段(d)と、を備えている。なお、アクセル開度センサ１６が、アクセル開度検出手段(a)に相当する。車速センサ１７が、クラッチ出力軸回転数検出手段(b)に相当する。モータ回転数センサ２１が、クラッチ入力軸回転数検出手段(c)とモータ回転数検出手段(d)に相当する。【００３７】
前記EV走行制御部100は、図６に示すように、制御手段として、モータ回転数制御手段(f)と、モータトルク制御手段(g)と、クラッチトルク容量制御手段(i)と、を備えている。なお、モータコントローラ２が、モータ回転数制御手段(f)とモータトルク制御手段(g)に相当する。ATコントローラ７が、クラッチトルク容量制御手段(i)に相当する。【００３８】
前記EV走行制御部100は、図６に示すように、決定手段等として、目標駆動トルク演算手段(e)と、クラッチスリップ回転数検出手段(h)と、クラッチトルク容量決定手段(j)と、モータ・クラッチ制御状態決定手段(k)と、モータトルク決定手段(l)と、モータ回転数決定手段(m)と、を備えている。なお、統合コントローラ１０に有するEV走行制御処理のプログラム構成が、これらの手段(e),(h),(j),(k),(l),(m)に相当する。【００３９】
［EV走行制御処理の詳細構成］
図７は、EV走行制御部100でのEV走行制御処理の流れを示し、図８は、モータ・クラッチ２制御状態選択演算処理の流れを示し、図９は、モータ制御状態の選択処理の流れを示し、図１０は、目標クラッチ２トルク容量演算処理を示す。以下、図７のフローチャートに基づき、図８〜図１０を参照しながらEV走行制御処理の詳細構成を説明する。【００４０】
ステップS01では、各コントローラからデータを受信し、次のステップS02では、センサ値を読み込み、後の演算に必要な情報を取り込む。【００４１】
ステップS03では、ステップS02でのセンサ値読み込みに続き、車速VSP、アクセル開度APO、ブレーキ制動力などに応じて目標駆動トルクを演算し、ステップS04へ進む。【００４２】
ステップS04では、ステップS03での目標駆動トルクの演算に続き、目標駆動トルク、バッテリSOC、アクセル開度APO、車速VSP、路面勾配、等の車両状態に応じて、目標走行モードを演算し、目標走行モードとして「EVモード」を選択した場合にステップS05へ進む。【００４３】
ステップS05では、ステップS04での目標走行モード演算（「EVモード」の選択）に続き、第２クラッチCL2の機械的な特性に応じて、モータ・クラッチ２制御状態の選択演算により、モータ/ジェネレータMGと第２クラッチCL2の制御状態を決め、ステップS06へ進む。
なお、詳しいモータ・クラッチ２制御状態の選択演算処理については、図８及び図９に基づき、下記に説明する。【００４４】
ステップS06では、ステップS05でのモータ・クラッチ２制御状態選択演算に続き、モータ/ジェネレータMGの目標入力回転数の演算を行い、ステップS07へ進む。
この目標入力回転数演算において、第２クラッチCL2のスリップ時には、スリップを収束させるような目標回転数を選択する。【００４５】
ステップS07では、ステップS06での目標入力回転数演算に続き、ステップS05でのモータ・クラッチ２制御状態選択演算で決めた状態に応じて、第２クラッチCL2の目標トルク容量を演算し、ステップS08へ進む。
なお、詳しい第２クラッチCL2の目標トルク容量演算処理については、図１０に基づき、下記に説明する。【００４６】
ステップS08では、ステップS07での目標クラッチ２トルク容量演算に続き、各コントローラへデータを送信し、モータ/ジェネレータMGのトルク/回転数制御や第２クラッチCL2のトルク容量制御を行い、エンドへ進む。【００４７】
ここで、ステップS05のモータ・クラッチ２制御状態の選択演算処理について、図８及び図９に基づき説明する。【００４８】
ステップS051では、第２クラッチCL2の機構的な特性で、一方向にしかスリップできないか否かを判断する。YES（４、５速段）の場合はステップS052へ進み、NO（４、５速段以外）の場合はステップS053へ進む。【００４９】
ステップS052では、ステップS051での自動変速機ATが４、５速段であるとの判断に続き、目標駆動トルクが所定値を超えているか否かを判断する。YES（目標駆動トルク＞所定値）の場合はステップS053へ進み、NO（目標駆動トルク≦所定値）の場合はステップS054へ進む。ここで、所定値は、ドライブ状態（目標駆動トルク＝正トルク）かコースト状態（目標駆動トルク＝負トルク）かを判断する閾値とする。【００５０】
ステップS053では、ステップS051での自動変速機ATが４、５速段以外であるとの判断、或いは、ステップS052での目標駆動トルク＞所定値であるとの判断に続き、モータ・クラッチ２制御状態を「通常」とし、エンドへ進む。【００５１】
ステップS054では、ステップS052での目標駆動トルク≦所定値であるとの判断に続き、モータ・クラッチ２制御状態を「機構的な非スリップ選択時クラッチ２容量低下」とし、エンドへ進む。【００５２】
ステップS0541では、ステップ054で「機構的な非スリップ選択時クラッチ２容量低下」とされると、第２クラッチCL2がスリップしているか否かを判断する。YES（CL2スリップ有り）の場合はステップS0542へ進み、NO（CL2スリップ無し）の場合はステップS0543へ進む。【００５３】
ステップS0542では、ステップS0541でのCL2スリップ有りの判断に続き、モータ制御状態を「回転数制御」とし、エンドへ進む。【００５４】
ステップS0543では、ステップS0541でのCL2スリップ無しの判断に続き、モータ制御状態を「トルク制御」とし、エンドへ進む。【００５５】
次に、ステップS07の第２クラッチCL2の目標トルク容量演算処理について、図１０に基づき説明する。【００５６】
第２クラッチCL2の目標トルク容量演算処理ブロックは、図１０に示すように、絶対値変換部071と、減算部072と、第１選択部073と、ゲイン設定部074と、第２選択部075と、切り替え部076と、を備えている。【００５７】
前記絶対値変換部071では、目標駆動トルクを絶対値に変換し、次の減算部072では、目標駆動トルク絶対値とハード分担トルク（第２ワンウェイクラッチF2(1&2OWC)による分担トルク絶対値）の差分トルク値を演算する。第１選択部073では、差分トルク値とクラッチトルク２容量下限値（CL2トルク容量下限値）のうち、大きい方の値を選択する。ここで、クラッチトルク２容量下限値は、例えば、第２クラッチCL2のリターンスプリングが戻らない下限油圧に設定する。【００５８】
前記ゲイン設定部074では、目標駆動トルク絶対値にゲインを掛け合わせてトルク増幅値を演算する。次の第２選択部075では、トルク増幅値とクラッチトルク２容量下限値２（＞クラッチトルク２容量下限値）のうち、大きい方の値を選択する。そして、切り替え部076では、予め第１選択部073からの第１選択値に切り替えておき、一度、第２クラッチCL2がスリップし、かつ、モータトルクで第２クラッチCL2のスリップが収束したとの情報を受けて、第２選択部075からの第２選択値に切り替える。この切り替えられた側の値を、目標クラッチトルク２容量（第２クラッチCL2の目標トルク容量）とする。
なお、スリップとは、EVコースト走行中、発電負荷によりモータ回転数が低下することにより生じる第２クラッチCL2のスリップをいう。【００５９】
すなわち、モータ・クラッチ２制御状態＝「機構的な非スリップ選択時クラッチ２容量低下」の場合には、以下の演算が行われる。
(1)第２クラッチCL2が1度もスリップしていない場合は、入力トルク（＝目標駆動トルク絶対値）よりも第２クラッチCL2のトルク容量を下げる（第１選択値）。
(2)一度、第２クラッチCL2がスリップした場合で、それ以降スリップが収束していない場合は、モータ回転数制御でのモータトルクを用いてスリップを収束させるが、第２クラッチCL2のトルク容量は、(1)と同じ指令とする（第１選択値）。
(3)一度、第２クラッチCL2がスリップした場合で、その後、モータ回転数制御でのモータトルクを用いてスリップを収束させた後は、第２クラッチCL2のトルク容量を入力トルク（＝目標駆動トルク絶対値）よりも高くする（第２選択値）。【００６０】
次に、作用を説明する。
実施例１のＦＲハイブリッド車両の制御装置における作用を、「比較例の課題」、「EVコースト走行からHEVモードへのモード遷移作用」、「EVコースト走行中のスリップ収束作用」に分けて説明する。【００６１】
［比較例の課題］
自動変速機が４速段、或いは、５速段によるEVコースト走行中にフィードフォワード制御を選択し、安全率を確保するため、大きなクラッチ２トルク容量を指令しているものを比較例とする。以下、比較例においてEVコースト走行からエンジン始動要求によりHEVモードへモード遷移するときの課題を、図１１に基づき説明する。【００６２】
時刻t1から時刻t2までは、クラッチの機械的な特性上、クラッチ２をスリップさせることができないアクセルOFFによるEVコースト走行中であり、大きなクラッチ２トルク容量を指令している。この時刻t1から時刻t2までのEVコースト走行中は、単純にクラッチ２トルク容量を下げることができない。その理由は、例えば、単純に下げてクラッチ２を開放してしまうと、
1)クラッチ２の耐力低下
2)クラッチ２のトルク応答性悪化
という問題が出ることによる。【００６３】
そして、時刻t2にてアクセル踏み込操作を開始し、時刻t3にてエンジン始動要求が出力されると、エンジン始動要求にしたがってクラッチ２をスリップ締結状態へと移行させる必要があることから、大きなクラッチ２トルク容量の指令を一気に低下させる指令が出力される。【００６４】
したがって、EVコースト走行中に、クラッチ２トルク容量を高く設定しておくと、アクセル踏み込み操作によりエンジン始動要求があった場合、クラッチ２の非スリップ→スリップへの切り替えに要する時間が、時刻t3から時刻t4までと長くなる。なぜなら、クラッチ２をスリップへ切り替えるには、高いクラッチトルク容量をモータトルク（EV走行中の駆動トルク）より低いトルクレベルまで一気に低下させ、かつ、モータトルクとクラッチトルク容量のトルク差を確保する必要がある。しかし、クラッチ２は、油圧応答遅れ等により実トルク容量低下するのに時間を要することによる。【００６５】
そして、時刻t4にてクラッチ２がスリップ締結状態に収束したことを確認すると、クラッチ１の締結によりエンジンクランキングを開始し、モータ回転数とエンジン回転数が一致する時刻t5にてエンジン始動を完了する。【００６６】
このように、EVコースト走行中に、クラッチ２トルク容量を高く設定しておく比較例では、アクセル踏み込み操作されたことでトルク極性の切り替わりとスリップ要求があった場合、クラッチ２の非スリップ→スリップへの切り替えに要する時間が長くなってしまうという課題がある。【００６７】
［EVコースト走行からHEVモードへのモード遷移作用］
EVコースト走行からアクセル踏み込み操作によりHEVモードへ遷移する場合、第２クラッチCL2のスリップ収束を待ってエンジン始動制御が開始される。よって、第２クラッチCL2の非スリップ→スリップへの切り替えに要する時間を短くしたいという要求がある。以下、これを反映する実施例１でのEVコースト走行からHEVモードへのモード遷移作用を、図１２に基づき説明する。【００６８】
時刻t1から時刻t2までは、クラッチの機械的な特性上、第２クラッチCL2をスリップさせることができないアクセルOFFによるEVコースト走行中であるが、このEVコースト走行中の第２クラッチCL2のトルク容量を、モータトルクの絶対値より低く、棚圧を確保できる油圧まで下げている。【００６９】
そして、時刻t2にてアクセル踏み込操作を開始し、時刻t3にてエンジン始動要求が出力されると、エンジン始動要求にしたがって第２クラッチCL2をスリップ締結状態へと移行させる必要があることから、第２クラッチCL2へのトルク容量指令を、モータトルク指令より低下させる必要がある。【００７０】
しかし、EVコースト走行中に、第２クラッチCL2のトルク容量を、予めモータトルク指令より低く設定しておいている。このため、アクセル踏み込み操作によりエンジン始動要求があったとしても、モータトルク指令とのトルク差が確保されていて、トルク容量を低下させる必要が無い、或いは、トルク容量を低下させるにしてもその低下幅が小さく抑えられる。このため、EVコースト走行中、アクセル踏み込み操作されたことでトルク極性の切り替わりとスリップ要求があった場合、第２クラッチCL2の非スリップ→スリップへの切り替えに要する時間が、時刻t3から時刻t4までと、比較例に比べて短くなる。【００７１】
そして、時刻t4にてクラッチ２がスリップ締結状態に収束したことを確認すると、第１クラッチCL1のスリップ締結によりエンジンクランキングを開始し、モータ回転数とエンジン回転数が一致する時刻t5にてエンジン始動を完了する。【００７２】
このように、実施例１では、第２クラッチCL2がスリップできない状態であるとき、第２クラッチCL2のトルク容量を、入力トルクであるモータトルク指令よりも低いトルク容量になるように、トルク容量指令とする構成を採用した。
よって、第２クラッチCL2がスリップできない状態からできる状態へと移行した際、第２クラッチCL2の非スリップ→スリップの切り替えに要する時間を短縮することができる。加えて、実施例１では、下記の効果も発揮される。
1) アクセルペダル即踏みのように目標駆動トルクの極性変化を伴うエンジン始動時間が短くなり、良好なレスポンスが提供できる（図１２）。
2) アクセル操作量を徐々に増やされるようなアクセル緩操作の場合、EV走行中に「微小スリップ制御」を開始する際のスリップイン時間が短くなる。その結果、エンジン始動要求があったとき、「微小スリップ制御」状態からスムーズに第２クラッチCL2がスリップ締結状態へと移行し、Ｇ変動の無い良好な運転性を提供できる。
3) EVコースト走行中、油圧制御系の元圧であるライン圧を下げることができるため、燃費向上に寄与する。【００７３】
実施例１では、第２クラッチCL2のトルク容量指令を、目標駆動トルクの絶対値（入力トルクの絶対値）から、ハード的に分担できるハード分担トルク絶対値を差し引いた値相当とする構成を採用した。
よって、ハードの耐力を低下させずに、第２クラッチCL2のトルク容量を低下させることができる。【００７４】
実施例１では、第２クラッチCL2のトルク容量指令に対して、所定の応答を実現するクラッチトルク２容量下限値を設定する構成を採用した。
よって、ドライバー操作に応答させる準備をしつつ、第２クラッチCL2のトルク容量を低下させることができる。【００７５】
実施例１では、第２クラッチCL2のトルク容量指令を、自動変速機ATのギア位置（４速段、５速段）に応じて決める構成を採用した。
よって、自動変速機ATの構成に応じて、第２クラッチCL2のトルク容量を低下させることができる。【００７６】
［EVコースト走行中のスリップ収束作用］
EVコースト走行中に第２クラッチCL2のトルク容量を下げる制御を行うことで、EVコースト走行中、第２クラッチCL2にモータ回転数が低下するスリップが発生することがある。以下、図１３に基づき、実施例１でのEVコースト走行中のスリップ収束作用を説明する。【００７７】
時刻t1から時刻t2までは、クラッチの機械的な特性上、第２クラッチCL2をスリップさせることができないアクセルOFFによるEVコースト走行中であるが、このEVコースト走行中の第２クラッチCL2のトルク容量を、棚圧を確保できる油圧まで下げている。【００７８】
そして、時刻t2にて、図１３の矢印Ａで囲まれる回転数特性に示すように、出力軸回転数（入力軸換算）よりもモータ回転数が低下することによりスリップが発生すると、スリップ発生の検知に基づき、モータ/ジェネレータMGの回転数制御でのモータトルクを上昇させ、時刻t3にてスリップを収束させる。この時刻t3にてアクセル踏み込み操作が行われると、アクセル開度の上昇に合わせて第２クラッチCL2のトルク容量を上昇させ、時刻t4にてモータトルクを元の回生トルクレベルに戻す。そして、時刻t4以降は、第２クラッチCL2のトルク容量を入力トルクよりも高くしてEVコースト走行を続ける。【００７９】
このように、実施例１では、EVコースト走行中に第２クラッチCL2にて、モータ回転数の低下によるスリップを検出した場合、第２クラッチCL2のトルク容量は変えずに、回転数制御のモータトルクを用いてスリップを収束させる構成を採用した。
例えば、第２クラッチCL2のスリップを検出した場合、第２クラッチCL2のトルクを先に上昇させたり、又は、モータトルクの上昇と同時に上昇させたりすると、駆動輪へのトルク変動によりＧ変動が生じる。
これに対し、第２クラッチCL2のトルク容量は変えずに、応答の速いモータトルクでスリップを収束させることで、Ｇ変動が生じることなく、ドライバーへ違和感を与えない。【００８０】
実施例１では、第２クラッチCL2のスリップ回転数が所定値以下に収束した後、第２クラッチCL2のトルク容量を、入力トルクよりも高いトルク容量になるようにする構成を採用した。
よって、スリップの収束状態で第２クラッチCL2のトルク容量を変更することで、Ｇ変動が無く、かつ、第２クラッチCL2の再滑りを防止することができる。【００８１】
次に、効果を説明する。
実施例１のＦＲハイブリッド車両の制御装置にあっては、下記に列挙する効果を得ることができる。【００８２】
(1) モータ（モータ/ジェネレータMG）から駆動輪（左右後輪RL,RR）への動力伝達経路に、機構的な特性で一方向にしかスリップできない摩擦クラッチ（第２クラッチCL2）を有し、モータ走行中、前記摩擦クラッチ（第２クラッチCL2）のスリップ制御を実施する電動車両（ＦＲハイブリッド車両）の制御装置において、
前記電動車両（ＦＲハイブリッド車両）の目標駆動トルクを演算する目標駆動トルク演算手段(e)と、
前記目標駆動トルクを用い、前記摩擦クラッチ（第２クラッチCL2）がスリップできない状態であるか否かを決定するモータ・クラッチ制御状態決定手段(k)と、
前記モータ・クラッチ制御状態決定手段(k)により前記摩擦クラッチ（第２クラッチCL2）がスリップできない状態であると決定したとき、クラッチトルク容量を入力トルクよりも低いトルク容量になるように、クラッチトルク容量指令相当値（トルク容量指令）を決めるクラッチトルク容量決定手段(j)と、
を備える（図６）。
このため、摩擦クラッチ（第２クラッチCL2）がスリップできない状態からできる状態へと移行した際、摩擦クラッチ（第２クラッチCL2）の非スリップ→スリップの切り替えに要する時間を短縮することができる。【００８３】
(2) 前記クラッチトルク容量決定手段(j)は、クラッチトルク容量指令相当値（トルク容量指令）を、入力トルク（目標駆動トルク）の絶対値から、機構的に分担できるハード分担トルク絶対値を差し引いた値相当とする（図１０）。
このため、(1)の効果に加え、ハードの耐力を低下させずに、摩擦クラッチ（第２クラッチCL2）のトルク容量を低下させることができる。【００８４】
(3) 前記クラッチトルク容量決定手段(j)は、クラッチトルク容量指令相当値（トルク容量指令）に対し、所定の応答を実現する下限値（クラッチトルク２容量下限値）を設定する（図１０）。
このため、(1)又は(2)の効果に加え、ドライバー操作に応答させる準備をしつつ、摩擦クラッチ（第２クラッチCL2）のトルク容量を低下させることができる。【００８５】
(4) 前記摩擦クラッチ（第２クラッチCL2）は、前記（モータ/ジェネレータMG）と前記駆動輪（左右後輪RL,RR）の間に介装された変速機（自動変速機AT）の変速摩擦締結要素を兼用するものであり、
前記クラッチトルク容量決定手段(j)は、クラッチトルク容量指令相当値（トルク容量指令）を、前記変速機（自動変速機AT）のギア位置に応じて決める（図３）。
このため、(1)〜(3)の効果に加え、変速機（自動変速機AT）の構成に応じて、摩擦クラッチ（第２クラッチCL2）のトルク容量を低下させることができる。【００８６】
(5) 前記モータ・クラッチ制御状態決定手段(k)により前記摩擦クラッチ（第２クラッチCL2）がスリップできない状態であると決定したとき、前記摩擦クラッチ（第２クラッチCL2）がモータ回転数の低下によりスリップが発生した場合で、それ以降スリップが収束していない場合、クラッチトルク容量は変えずに、モータ回転数制御でのモータトルクで前記摩擦クラッチ（第２クラッチCL2）のスリップを収束させる（図１３）。
このため、(1)〜(4)の効果に加え、摩擦クラッチ（第２クラッチCL2）のトルク容量は変えずに、応答の速いモータトルクでスリップを収束させることで、Ｇ変動が生じることなく、ドライバーへ違和感を与えないことができる。【００８７】
(6) 前記クラッチトルク容量決定手段(j)は、前記摩擦クラッチ（第２クラッチCL2）のスリップ回転数が所定値以下に収束した後、クラッチトルク容量を入力トルク（目標駆動トルク絶対値）よりも高いトルク容量になるようにクラッチトルク容量指令相当値（トルク容量指令）を決める（図１３）。
このため、(1)〜(5)の効果に加え、スリップの収束状態で摩擦クラッチ（第２クラッチCL2）のトルク容量を変更することで、Ｇ変動が無く、かつ、摩擦クラッチ（第２クラッチCL2）の再滑りを防止することができる。【００８８】
以上、本発明の電動車両の制御装置を実施例１に基づき説明してきたが、具体的な構成については、この実施例１に限られるものではなく、請求の範囲の各請求項に係る発明の要旨を逸脱しない限り、設計の変更や追加等は許容される。【００８９】
実施例１では、クラッチトルク容量決定手段として、第２クラッチCL2のトルク容量指令をクラッチトルク容量指令相当値とする例を示した。しかし、クラッチトルク容量決定手段としては、摩擦クラッチトルク容量を実現する油圧指令やソレノイド電流指令などをクラッチトルク容量指令相当値としても良い。【００９０】
実施例１では、変速機として、有段の自動変速機ATを用いる例を示した。しかし、変速機としては、減速機やベルト式無段変速機等を用いても良い。要するに、モータから駆動輪までの動力伝達経路に、ワンウェイクラッチと並列に設けられた第２クラッチCL2等のように、機構的な特性で一方向にしかスリップできない摩擦クラッチを有するものであれば良い。【００９１】
実施例１では、本発明の電動車両の制御装置を、１モータ２クラッチのＦＲハイブリッド車両に適用する例を示した。しかし、本発明の制御装置は、１モータ２クラッチのＦＦハイブリッド車両は勿論のこと、１モータ２クラッチ以外、例えば、動力分割機構を備えたパラレルタイプのハイブリッド車両に対しても適用することができる。さらに、変速機を駆動系に備えた電気自動車や燃料電池車等に対しても適用することができる。
【関連出願の相互参照】
【００９２】
本出願は、２０１３年４月３０日に日本国特許庁に出願された特願２０１３−０９４９８５に基づいて優先権を主張し、その全ての開示は完全に本明細書で参照により組み込まれる。
【図１】
0005983870.tif 000002
【図２】
0005983870.tif 000003
【図３】
0005983870.tif 000004
【図４】
0005983870.tif 000005
【図５】
0005983870.tif 000006
【図６】
0005983870.tif 000007
【図７】
0005983870.tif 000008
【図８】
0005983870.tif 000009
【図９】
0005983870.tif 000010
【図１０】
0005983870.tif 000011
【図１１】
0005983870.tif 000012
【図１２】
0005983870.tif 000013
【図１３】
0005983870.tif 000014